(57)【要約】【課題】      制動部材が簡単確実に捩れたり、抜けたりせずに取り付けられる魚釣用スピニングリ−ルを提供することである。【解決手段】  リ−ル本体１の筒部１ｃの鍔部１ｉ側基部に周方向の溝からなる装着部１ｊが形成され、装着部１ｊの一端には前側の貫通孔１ｆより大径の凹部１ｋが形成されて装着部１ｊの他端には前側の貫通孔１ｈより大径の凹部１ｍが形成され、周方向の溝からなる装着部１ｊにはゴム製の制動部材８が嵌められる。  ゴム製の制動部材８は略Ｃ字状に形成された制動部８ａと一端の係止部８ｂと他端の係止部８ｃで形成され、係止部８ｂ、８ｃに夫々透孔８ｄ、８ｅが穿設され、透孔８ｄ、８ｅには夫々機能部材の軸杆２１と機能部材の案内杆７の細径部７ｂが嵌合されて係止されている。【選択図】        図４
2006254852.tif 000002
【特許請求の範囲】
【請求項１】
ハンドル操作に連動回転するロ−タの支持ア−ムの前部に、ベ−ル及び釣糸案内部を有する支持部材を釣糸巻取位置と釣糸放出位置とに反転可能に振り分け保持され、前記支持部材の釣糸巻取位置から釣糸放出位置への反転操作に連動して移動する移動部材の端部をリ−ル本体の前部に設けた制動部材に接触可能とした魚釣用スピニングリ−ルにおいて、前記制動部材の少なくとも一端部を、内部機構を構成する機能部材で係止したことを特徴とする魚釣用スピニングリ−ル。
【発明の詳細な説明】
【技術分野】
【０００１】
本発明は、ハンドルに連動回転するロ−タに、ベ−ル及び釣糸案内部を有する支持部材を釣糸巻取状態と釣糸放出状態に反転自在に支持してなる魚釣用スピニングリ−ルの改良に関する。
【背景技術】
【０００２】
ベ−ルを釣糸巻取状態から釣糸放出状態に起こした状態より釣竿を勢い良く振り下ろして仕掛けを放出操作する際の勢いや不要なハンドル回転等の影響により、ロ−タ支持ア−ムの前部に釣糸放出位置に保持されている支持部材がロ−タの不要な回転によって釣糸巻取位置に誤復帰してしまい、釣糸が仕掛けと共に切断してしまうトラブルが生じてしまう。
そこで、このような釣糸放出操作時のロ−タの不要な回転によって生じる誤復帰を防止する方法として、ベ−ルの開放操作に連動する移動部材をリ−ル本体前部の弾性制動部材に接触させてロ−タの不要な回転を制動するものが、特許文献１及び特許文献２で知られている。
【特許文献１】特開２００１−２９９１６２号公報
【特許文献２】特開２００４−３４４０７６号公報
【発明の開示】
【発明が解決しようとする課題】
【０００３】
解決しようとする問題点は、特許文献１は環状（Ｄ形状）の弾性制動部材をリ−ル本体前部に装着して、ベ−ル開放連動部材に制動力を付与する構成であるが、この弾性制動部材をリ−ル本体に組み込む際に捩れやすくて安定せず、所定の制動力を得られなかったり、外れてしまう等の問題がある。
特許文献２は、略Ｃ字状の弾性制動部材の両端部をネジ止めしたり、一端部をリ−ル本体と蓋体との間で挾持固定することで、リ−ル本体の前部に装着されているが、ネジ止めの場合は、部品が多くなると共にネジ止め工数がかかり、製造コストが高くなる。
又、端部を挾持固定する場合は、挾み込む時にズレが生じやすく、抜け易くなって固定強度が安定しない。
等の課題が残されていることである。
【０００４】
本発明の目的は前記欠点に鑑み、制動部材が簡単確実に捩れたり、抜けたりせずに取り付けられる魚釣用スピニングリ−ルを提供することである。
【課題を解決するための手段】
【０００５】
本発明の請求項１は、ハンドル操作に連動回転するロ−タの支持ア−ムの前部に、ベ−ル及び釣糸案内部を有する支持部材を釣糸巻取位置と釣糸放出位置とに反転可能に振り分け保持され、前記支持部材の釣糸巻取位置から釣糸放出位置への反転操作に連動して移動する移動部材の端部をリ−ル本体の前部に設けた制動部材に接触可能とした魚釣用スピニングリ−ルにおいて、前記制動部材の少なくとも一端部を、内部機構を構成する機能部材で係止したことを要旨とするものである。
【発明の効果】
【０００６】
本発明の請求項１によれば、制動部材の端部の係止部をしっかりと固定できるため、外れることなく確実にリ−ル本体に係止できると共に、機能部材を固定手段に兼用できるので、ネジ等の固定部材が不要となってコスト低減できる。
機能部材が貫通突出するリ−ル本体前部の嵌合部近傍に制動部材を取り付けることにより、本体内部への防水効果も期待できる。
断面円形の機能部材（ストッパ−レバ−軸、オシレ−ト機構のピラ−等）を使用することにより、制動部材の端部を環状にして固定できるので、固定し易く、制動部材の強度も安定する。
又、制動部材の軽圧入も可能となり、本体内部への防水効果を更に向上できる。
【発明を実施するための最良の形態】
【０００７】
リ−ル本体１の筒部１ｃの鍔部１ｉ側基部に周方向の溝からなる装着部１ｊが形成され、装着部１ｊの一端には前側の貫通孔１ｆより大径の凹部１ｋが形成されている。
装着部１ｊの他端には前側の貫通孔１ｈより大径の凹部１ｍが形成されている。
周方向の溝からなる装着部１ｊにはゴム製の制動部材８が嵌められる。
ゴム製の制動部材８は略Ｃ字状に形成された制動部８ａと一端の係止部８ｂと他端の係止部８ｃで形成され、係止部８ｂ、８ｃに夫々透孔８ｄ、８ｅが穿設されている。
透孔８ｄ、８ｅには夫々機能部材の軸杆２１と機能部材の案内杆７の細径部７ｂが嵌合されている。
これによって制動部材８の係止部８ｂと係止部８ｃは機能部材の軸杆２１と機能部材の案内杆７の細径部７ｂで係止されている。
【実施例１】
【０００８】
以下、図示の一実施例によって本発明を説明すると、図１は魚釣用スピニングリ−ルの要部断面側面図、図２はリ−ル本体の要部拡大断面側面図、図３はリ−ル本体の側面図、図４は支持部材が釣糸放出位置のリ−ル本体の拡大要部断面正面図である。
【０００９】
魚釣用スピニングリ−ルは、リ−ル本体１の一側開口が蓋体２で閉塞され、蓋体２はリ−ル本体１に形成された複数のネジ孔１ａに螺合されたビスで取り付けられている。
リ−ル本体１の上部には脚部１ｂが形成されている。
リ−ル本体１と蓋体２で保持された図示しない軸受で駆動歯車３の駆動軸３ａが軸承されてハンドル１０で駆動回転される。
リ−ル本体１の前部の円形の筒部１ｃ内の軸受１１で回転軸筒４の前側が回転自在に支持され、リ−ル本体１内の軸受部１ｄに回転軸筒４の基端が嵌合支持され、基端の前側に一体的にピニオン４ａが形成されて駆動歯車３に噛合されている。
回転軸筒４の軸受１１より前側に逆転防止爪車１２が回り止め嵌合され、逆転防止爪車１２の前側の回転軸筒４にロ−タ５の中心軸筒５ａが回り止め嵌合されてナット１３で取り付けられている。
【００１０】
回転軸筒４の中心透孔には前側にスプ−ル１４が取り付けられたスプ−ル軸６が前後往復動可能に摺動自在に挿入されている。
スプ−ル１４は前側鍔部１４ａと釣糸１５が巻回される釣糸巻回胴部１４ｂと円筒部１４ｃを備えた後側鍔部１４ｄとで形成されている。
スプ−ル軸６の後端の回り止め部６ａに摺動体１６がビス１７で取り付けられている。
リ−ル本体１内の側壁面に軸筒からなる支持部が形成されて伝達歯車１８が軸承されて伝達歯車１８は駆動軸３ａ外周に形成された歯車３ｂに噛合されて摺動体１６を介してスプ−ル軸６の前後往復動機構が構成されている。
【００１１】
逆転防止爪車１２には係止爪１９が係止可能に臨まされ、係止爪１９はカム２０で逆転防止爪車１２に係止される位置と離脱される位置に切り換えられる。
カム２０はリ−ル本体１の後側の貫通孔１ｅと前側の貫通孔１ｆに挿入された機能部材の軸杆２１に取り付けられている。
リ−ル本体１の後側に突出した軸杆２１には切換ツマミ２２が取り付けられている。
摺動体１６は機能部材の案内杆７の軸部７ａの外周に嵌合され、横振れが防止されて前後方向に案内される。
案内杆７はリ−ル本体１の後側の貫通孔１ｇから前側の貫通孔１ｈに挿入されてリ−ル本体１の後側のカバ−２３で抜け止めされている。
案内杆７の前側は細径部７ｂに形成されて貫通孔１ｈに挿入されている。
【００１２】
リ−ル本体１と蓋体２の前側には合体して円板となる鍔部１ｉ、２ａが形成されている。
鍔部２ａの前面には傾斜面ａを有する復帰用カム２ｂが形成されている。
筒部１ｃの鍔部１ｉ側基部に周方向の溝からなる装着部１ｊが形成され、装着部１ｊの一端には前側の貫通孔１ｆより大径の凹部１ｋが形成されている。
装着部１ｊの他端には前側の貫通孔１ｈより大径の凹部１ｍが形成されている。
周方向の溝からなる装着部１ｊにはゴム製の制動部材８が嵌められる。
ゴム製の制動部材８は略Ｃ字状に形成された制動部８ａと一端の係止部８ｂと他端の係止部８ｃで形成され、係止部８ｂ、８ｃに夫々透孔８ｄ、８ｅが穿設されている。
透孔８ｄ、８ｅには夫々機能部材の軸杆２１と機能部材の案内杆７の細径部７ｂが嵌合されている。
これによって制動部材８の係止部８ｂと係止部８ｃは機能部材の軸杆２１と機能部材の案内杆７の細径部７ｂで係止されている。
前記説明では制動部材８の係止部８ｂと係止部８ｃを夫々機能部材で係止したが、何れか一方を機能部材で係止し、他方をビスでネジ止めしたり鈎部で係止してもよい。
【００１３】
ロ−タ５は中心軸筒５ａで回転軸筒４に取り付けられ、中心軸筒５ａと前壁５ｂと大径の筒部５ｃと大径の筒部５ｃの基部５ｄ、５ｅの外周から前方に向けて突出された一対の支持腕５ｆ、５ｇとで形成されている。
一対のベ−ル支持腕５ｆ、５ｇの先端部外側に一方のベ−ル支持部材２４と他方のベ−ル支持部材２５がビス２６、２７で釣糸巻取位置と釣糸放出位置に反転自在に軸承されている。
一方のベ−ル支持部材２４にはロ−ラからなる釣糸案内部２８の取付部２９が取り付けられている。
他方のベ−ル支持部材２５とロ−ラからなる釣糸案内部２８の取付部２９の間にベ−ル３０が取り付けられている。
スプ−ル１４に巻回された釣糸１５はロ−ラからなる釣糸案内部２８で案内されて引き出される。
【００１４】
支持腕５ｆの内部にはト−ションバネ３１が収容されて一端が一方のベ−ル支持部材２４の穴に挿入され、他方は支持腕５ｆの底部の穴に挿入されて、ベ−ル支持部材２４を釣糸巻取位置と釣糸放出位置に振分け付勢している。
支持腕５ｇの内部には移動部材９が収容されて一端９ａが他方のベ−ル支持部材２５の穴に挿入され、他側９ｂは支持腕５ｇの底部の長孔５ｈに挿入されて長孔５ｈからリ−ル本体１の装着部１ｊ側に突出されている。
長孔５ｈから突出された端部９ｃは移動部材９が支持腕５ｇの中を後退（釣糸放出位置）された時、復帰用カム２ｂと制動部材８の制動部８ａに臨まされている。
【００１５】
前記魚釣用スピニングリ−ルの動作は、一方のベ−ル支持部材２４と他方のベ−ル支持部材２５が釣糸巻取位置にあって釣糸１５がスプ−ル１４に巻回される方向にハンドル１０が回転されると、駆動歯車３が回転されてピニオン４ａを介して回転軸筒４とロ−タ５が正回転される。
駆動軸３ａが回転されると、歯車３ｂが回転され、伝達歯車１８が回転される。
伝達歯車１８の回転運動が摺動体１６の直線往復動に変換されてスプ−ル軸６とスプ−ル１４が前後方向に直線往復動される。
釣糸１５がスプ−ル１４に巻回される時は、一方のベ−ル支持部材２４に設けられた釣糸案内部２８のロ−ラで釣糸１５が案内されて前後に往復動されるスプ−ル１４に平行に巻回される。
【００１６】
仕掛が投擲されるときは、ベ−ル３０が起こされて一方のベ−ル支持部材２４と他方のベ−ル支持部材２５が釣糸放出位置に反転される。
一方のベ−ル支持部材２４と他方のベ−ル支持部材２５が釣糸放出位置に反転されると共に釣糸案内部２８がリ−ル本体１の脚部１ｂ側の上方に引き上げられると、他方のベ−ル支持部材２５は脚部１ｂと反対側（図４で下側）に配置されるので、移動部材９が支持腕５ｇの中を後退されて図１、図４の２点鎖線のように端部９ｃは制動部材８の制動部８ａに当接される。
一方のベ−ル支持部材２４と他方のベ−ル支持部材２５が釣糸放出位置から釣糸巻取位置に反転される時は、ハンドル１０が回転されてロ−タ５が図４で時計方向に正回転されると、移動部材９の端部９ｃが制動部材８の制動部８ａを摺接移動しながら復帰用カム２ｂに衝接されて移動部材９が支持腕５ｇの中をスプ−ル１４側に前進されて一方のベ−ル支持部材２４と他方のベ−ル支持部材２５が釣糸巻取位置に反転復帰される。
【００１７】
前記のように魚釣用スピニングリ−ルが構成されると、制動部材８の端部の係止部８ｂ、８ｃをしっかりと固定できるため、外れることなく確実にリ−ル本体１に係止できると共に、機能部材を固定手段に兼用できるので、ネジ等の固定部材が不要となってコスト低減できる。
機能部材が貫通突出するリ−ル本体前部の嵌合部近傍に制動部材８を取り付けることにより、本体内部への防水効果も期待できる。
断面円形の機能部材（ストッパ−レバ−軸、オシレ−ト機構のピラ−等）を使用することにより、制動部材８の端部を環状にして固定できるので、固定し易く、制動部材の強度も安定する。
又、制動部材の軽圧入も可能となり、本体内部への防水効果を更に向上できる。
【図面の簡単な説明】
【００１８】
【図１】魚釣用スピニングリ−ルの要部断面側面図である。
【図２】リ−ル本体の要部拡大断面側面図である。
【図３】リ−ル本体の側面図である。
【図４】支持部材が釣糸放出位置のリ−ル本体の拡大要部断面正面図である。
【符号の説明】
【００１９】
１  リ−ル本体
５  ロ−タ
７、２１  機能部材
８  制動部材
９  移動部材
９ｃ  端部
１０  ハンドル
１５  釣糸
２４、２５  ベ−ル支持部材
２８  釣糸案内部
【図１】
2006254852.tif 000003
【図２】
2006254852.tif 000004
【図３】
2006254852.tif 000005
【図４】
2006254852.tif 000006